【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
基板と前記基板上に形成された記録層を備えた追記型の光記録媒体に、少なくとも記録パワーＰｗおよび第一の基底パワーＰｂ１を含むパルス列パターンにしたがって変調されたレーザビームを照射し、前記記録層を物理的及び／又は化学的に変化させて、前記記録層に少なくとも二つの記録マークを形成して、情報を記録する方法であって、前記第一の基底パワーＰｂ１と前記記録パワーＰｗとの比Ｐｂ１／Ｐｗを０．１ないし０．５に設定するとともに、最短ブランク間隔と記録線速度との比を４０ｎｓｅｃ以下に設定して、５ｍ／ｓｅｃ以上の記録線速度で、情報を記録することを特徴とする光記録媒体への情報記録方法。
【請求項２】
光記録媒体が、さらに、光透過層を備え、前記記録層が、前記基板と前記光透過層の間に形成され、第一の反応層と第二の反応層を含み、前記光透過層を介して、レーザビームを照射して、前記第一の反応層に主成分として含まれている元素と、前記第二の反応層に主成分として含まれている元素とを混合させて、前記少なくとも二つの記録マークを形成するように構成されたことを特徴とする請求項１に記載の光記録媒体への情報記録方法。
【請求項３】
前記第二の反応層が、前記第一の反応層に接するように、形成されていることを特徴とする請求項２に記載の光記録媒体への情報記録方法。
【請求項４】
第一の基底パワーＰｂ１と記録パワーＰｗとの比Ｐｂ１／Ｐｗを０．２ないし０．５に設定して、１０ｍ／ｓｅｃ以上の記録線速度で、情報を記録するように構成されたことを特徴とする請求項１ないし３のいずれか１項に記載の光記録媒体への情報記録方法。
【請求項５】
最短ブランク間隔と記録線速度との比を２０ｎｓｅｃ以下に設定して、少なくとも二つの記録マークを形成するように構成されたことを特徴とする請求項４に記載の光記録媒体への情報記録方法。
【請求項６】
第一の基底パワーＰｂ１と記録パワーＰｗとの比Ｐｂ１／Ｐｗを０．３ないし０．４５に設定することを特徴とする請求項４または５に記載の光記録媒体への情報記録方法。
【請求項７】
前記記録パワーからなるパルスが、前記記録マークの長さに対応する数の分割パルスによって構成されていることを特徴とする請求項１ないし６のいずれか１項に記載の光記録媒体への情報記録方法。
【請求項８】
前記記録パワーからなるパルスの後に、前記第一の基底パワーよりも強度の低い第二の基底パワーを含むパルス列パターンにしたがって、レーザビームのパワーを変調するように構成されたことを特徴とする請求項７に記載の光記録媒体への情報記録方法。
【請求項９】
第１の記録線速度で、情報を記録する場合の前記第一の基底パワーと前記記録パワーとの比をＡＬとし、前記第１の記録線速度よりも高い第２の記録線速度で、情報を記録する場合の前記第一の基底パワーと前記記録パワーとの比をＡＨとしたときに、ＡＨ＞ＡＬを満たすように、それぞれの第一の基底パワーおよび記録パワーを設定することを特徴とする請求項１ないし８のいずれか１項に記載の光記録媒体への情報記録方法。
【請求項１０】
前記第１の記録線速度が５ｍ／ｓｅｃ以上に設定され、前記第２の記録線速度が１０ｍ／ｓｅｃ以上に設定されることを特徴とする請求項９に記載の光記録媒体への情報記録方法。
【請求項１１】
１．５×ＡＬ＜ＡＨ＜５．０×ＡＬを満たすように、それぞれの第一の基底パワーおよび記録パワーを設定することを特徴とする請求項９または１０に記載の光記録媒体への情報記録方法。
【請求項１２】
２．５×ＡＬ＜ＡＨ＜４．０×ＡＬを満たすように、それぞれの第一の基底パワーおよび記録パワーを設定することを特徴とする請求項１１に記載の光記録媒体への情報記録方法。
【請求項１３】
前記光記録媒体に、４５０ｎｍ以下の波長を有するレーザビームを照射して、情報を記録することを特徴とする請求項１ないし１２のいずれか１項に記載の光記録媒体への情報記録方法。
【請求項１４】
λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録することを特徴とする請求項１ないし１２のいずれか１項に記載の光記録媒体への情報記録方法。
【請求項１５】
基板と前記基板上に形成された記録層を備えた追記型の光記録媒体に、少なくとも記録パワーおよび第一の基底パワーを含むパルス列パターンにしたがって変調されたレーザビームを照射するレーザ照射手段を備えた光記録媒体への情報記録装置であって、前記レーザ照射手段が、前記第一の基底パワーＰｂ１と前記記録パワーＰｗとの比Ｐｂ１／Ｐｗが０．１ないし０．５に設定されたパルス列パターンにしたがって、レーザビームのパワーを変調し、最短ブランク間隔と記録線速度との比を４０ｎｓｅｃ以下に設定して、５ｍ／ｓｅｃ以上の記録線速度で、前記記録層に少なくとも二つの記録マークを形成して、情報を記録するように構成されたことを特徴とする光記録媒体への情報記録装置。
【請求項１６】
第一の基底パワーＰｂ１と記録パワーＰｗとの比Ｐｂ１／Ｐｗを０．２ないし０．５に設定して、１０ｍ／ｓｅｃ以上の記録線速度で、情報を記録するように構成されたことを特徴とする請求項１５に記載の光記録媒体への情報記録装置。
【請求項１７】
最短ブランク間隔と記録線速度との比が２０ｎｓｅｃ以下に設定されることを特徴とする請求項１６に記載の光記録媒体への情報記録装置。
【請求項１８】
第一の基底パワーＰｂ１と記録パワーＰｗとの比Ｐｂ１／Ｐｗを０．３ないし０．４５に設定することを特徴とする請求項１６または１７に記載の光記録媒体への情報記録装置。
【請求項１９】
前記記録パワーからなるパルスが、前記記録マークの長さに対応する数の分割パルスによって構成されていることを特徴とする請求項１５ないし１８のいずれか１項に記載の光記録媒体への情報記録装置。
【請求項２０】
前記記録パワーからなるパルスの後に、前記第一の基底パワーよりも強度の低い第二の基底パワーを含むパルス列パターンにしたがって、レーザビームのパワーを変調するように構成されたことを特徴とする請求項１９に記載の光記録媒体への情報記録装置。
【請求項２１】
基板と前記基板上に形成された記録層を備え、少なくとも記録パワーおよび第一の基底パワーを含むパルス列パターンにしたがって変調されたレーザビームが照射されて、前記記録層が物理的及び／又は化学的に変化し、前記記録層に少なくとも二つの記録マークが形成されて、情報が記録されるように構成された追記型の光記録媒体であって、前記第一の基底パワーＰｂ１と前記記録パワーＰｗとの比Ｐｂ１／Ｐｗが０．１ないし０．５に設定されたパルス列パターンにしたがって、レーザビームのパワーを変調し、最短ブランク間隔と記録線速度との比を４０ｎｓｅｃ以下に設定して、５ｍ／ｓｅｃ以上の記録線速度で、情報を記録するために必要な記録条件設定用情報が記録されていることを特徴とする光記録媒体。
【請求項２２】
さらに、光透過層を備え、前記記録層が、前記基板と前記光透過層の間に形成され、第一の反応層と第二の反応層を含み、前記光透過層を介して、レーザビームが照射されたときに、前記第一の反応層に主成分として含まれている元素と、前記第二の反応層に主成分として含まれている元素とが混合し、記録マークが形成されるように構成されたことを特徴とする請求項２１に記載の光記録媒体。
【請求項２３】
前記第二の反応層が、前記第一の反応層に接するように、形成されたことを特徴とする請求項２２に記載の光記録媒体。
【請求項２４】
前記光透過層が、１０ないし３００ｎｍの厚さを有するように形成されたことを特徴とする請求項２２または２３に記載の光記録媒体。
【請求項２５】
第一の基底パワーＰｂ１と記録パワーＰｗとの比Ｐｂ１／Ｐｗを０．２ないし０．５に設定して、１０ｍ／ｓｅｃ以上の記録線速度で、情報を記録するために必要な記録条件設定用情報が記録されていることを特徴とする請求項２１ないし２４のいずれか１項に記載の光記録媒体。
【請求項２６】
最短ブランク間隔と記録線速度との比を２０ｎｓｅｃ以下に設定して、少なくとも二つの記録マークを形成するために必要な記録条件設定用情報が記録されていることを特徴とする請求項２５に記載の光記録媒体。
【請求項２７】
第一の基底パワーＰｂ１と記録パワーＰｗとの比Ｐｂ１／Ｐｗを０．３ないし０．４５に設定して、情報を記録するために必要な記録条件設定用情報が記録されていることを特徴とする請求項２５または２６に記載の光記録媒体。
【請求項２８】
前記記録パワーからなるパルスが、前記記録マークの長さに対応する数の分割パルスによって構成されていることを特徴とする請求項２１ないし２７のいずれか１項に記載の光記録媒体。
【請求項２９】
前記記録パワーからなるパルスの後に、前記第一の基底パワーよりも強度の低い第二の基底パワーを含むパルス列パターンにしたがって、レーザビームのパワーを変調して、情報を記録するために必要な記録条件設定用情報が記録されていることを特徴とする請求項２８に記載の光記録媒体。
【手続補正２】
【補正対象書類名】明細書
【補正対象項目名】０００１
【補正方法】変更
【補正の内容】
【０００１】
【発明の属する技術分野】
本発明は、光記録媒体への情報記録方法、光記録媒体への情報記録装置および光記録媒体に関するものであり、さらに詳細には、高い記録線速度で、追記型の光記録媒体に、情報を記録するのに適した光記録媒体への情報記録方法および情報記録装置ならびに高い記録線速度で、情報を記録するのに適した追記型の光記録媒体に関するものである。
【手続補正３】
【補正対象書類名】明細書
【補正対象項目名】００１１
【補正方法】変更
【補正の内容】
【００１１】
しかしながら、７８０ｎｍの波長λを有するレーザビームを発するＣＤ用の半導体レーザや、６５０ｎｍの波長λを有するレーザビームを発するＤＶＤ用の半導体レーザに比して、４５０ｎｍ以下の波長λを有する半導体レーザは出力が小さく、また、出力が高い半導体レーザは高価であるという問題がある。
【手続補正４】
【補正対象書類名】明細書
【補正対象項目名】００１２
【補正方法】変更
【補正の内容】
【００１２】
その結果、次世代型の光記録媒体においては、基本パルス列パターンを用いて、高いデータ転送レートで、データを記録することが困難であり、とくに、５ｍ／ｓｅｃ以上の記録線速度で、データを記録する場合に、深刻な問題となっていた。
【手続補正５】
【補正対象書類名】明細書
【補正対象項目名】００１３
【補正方法】変更
【補正の内容】
【００１３】
したがって、本発明は、高い記録線速度で、追記型の光記録媒体に情報を記録することができる光記録媒体への情報記録方法を提供することを目的とするものである。
【手続補正６】
【補正対象書類名】明細書
【補正対象項目名】００１４
【補正方法】変更
【補正の内容】
【００１４】
また、本発明の別の目的は、高い記録線速度で、追記型の光記録媒体に情報を記録することができる光記録媒体への情報記録装置を提供することにある。
【手続補正７】
【補正対象書類名】明細書
【補正対象項目名】００１５
【補正方法】変更
【補正の内容】
【００１５】
さらに、本発明の他の目的は、高い記録線速度で、情報を記録することができる追記型の光記録媒体を提供することにある。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
【課題を解決するための手段】
本発明のかかる目的は、基板と前記基板上に形成された記録層を備えた追記型の光記録媒体に、少なくとも記録パワーＰｗおよび第一の基底パワーＰｂ１を含むパルス列パターンにしたがって変調されたレーザビームを照射し、前記記録層を物理的及び／又は化学的に変化させて、前記記録層に少なくとも二つの記録マークを形成して、情報を記録する方法であって、前記第一の基底パワーＰｂ１と前記記録パワーＰｗとの比Ｐｂ１／Ｐｗを０．１ないし０．５に設定するとともに、最短ブランク間隔と記録線速度との比を４０ｎｓｅｃ以下に設定して、５ｍ／ｓｅｃ以上の記録線速度で、情報を記録することを特徴とする光記録媒体への情報記録方法によって達成される。
【手続補正１２】
【補正対象書類名】明細書
【補正対象項目名】００２０
【補正方法】変更
【補正の内容】
【００２０】
本発明によれば、第一の基底パワーＰｂ１によって、記録パワーＰｗによる加熱が補助されるから、記録パワーＰｗのレベルを低下させることができ、比較的安価な低出力である半導体レーザを用い、５ｍ／ｓ以上の記録線速度で、データを追記型の光記録媒体に記録することが可能になる。
【手続補正１３】
【補正対象書類名】明細書
【補正対象項目名】００２１
【補正方法】変更
【補正の内容】
【００２１】
本発明の好ましい実施態様においては、光記録媒体が、さらに、光透過層を備え、前記記録層が、前記基板と前記光透過層の間に形成され、第一の反応層と第二の反応層を含み、前記光透過層を介して、レーザビームを照射して、前記第一の反応層に主成分として含まれている元素と、前記第二の反応層に主成分として含まれている元素とを混合させて、前記少なくとも二つの記録マークを形成するように構成されている。
【手続補正１４】
【補正対象書類名】明細書
【補正対象項目名】００２２
【補正方法】変更
【補正の内容】
【００２２】
本発明のさらに好ましい実施態様においては、前記第二の反応層が、前記第一の反応層に接するように、形成されている。
【手続補正１５】
【補正対象書類名】明細書
【補正対象項目名】００２３
【補正方法】変更
【補正の内容】
【００２３】
本発明のさらに好ましい実施態様においては、第一の基底パワーＰｂ１と記録パワーＰｗとの比Ｐｂ１／Ｐｗを０．２ないし０．５に設定して、１０ｍ／ｓｅｃ以上の記録線速度で、情報を記録するように構成されている。
【手続補正１６】
【補正対象書類名】明細書
【補正対象項目名】００２４
【補正方法】変更
【補正の内容】
【００２４】
本発明のさらに好ましい実施態様においては、最短ブランク間隔と記録線速度との比を２０ｎｓｅｃ以下に設定して、少なくとも二つの記録マークを形成するように構成されている。
【手続補正１７】
【補正対象書類名】明細書
【補正対象項目名】００２５
【補正方法】変更
【補正の内容】
【００２５】
本発明のさらに好ましい実施態様においては、第一の基底パワーＰｂ１と記録パワーＰｗとの比Ｐｂ１／Ｐｗを０．３ないし０．４５に設定するように構成されている。
【手続補正１８】
【補正対象書類名】明細書
【補正対象項目名】００２６
【補正方法】変更
【補正の内容】
【００２６】
本発明のさらに好ましい実施態様においては、前記記録パワーからなるパルスが、前記記録マークの長さに対応する数の分割パルスによって構成されている。
【手続補正１９】
【補正対象書類名】明細書
【補正対象項目名】００２７
【補正方法】変更
【補正の内容】
【００２７】
本発明のさらに好ましい実施態様においては、前記記録パワーからなるパルスの後に、前記第一の基底パワーよりも強度の低い第二の基底パワーを含むパルス列パターンにしたがって、レーザビームのパワーを変調するように構成されている。
【手続補正２０】
【補正対象書類名】明細書
【補正対象項目名】００２８
【補正方法】変更
【補正の内容】
【００２８】
本発明の好ましい実施態様においては、第１の記録線速度で、情報を記録する場合の前記第一の基底パワーと前記記録パワーとの比をＡＬとし、前記第１の記録線速度よりも高い第２の記録線速度で、情報を記録する場合の前記第一の基底パワーと前記記録パワーとの比をＡＨとしたときに、ＡＨ＞ＡＬを満たすように、それぞれの第一の基底パワーおよび記録パワーを設定するように構成されている。
【手続補正２１】
【補正対象書類名】明細書
【補正対象項目名】００２９
【補正方法】変更
【補正の内容】
【００２９】
本発明のさらに好ましい実施態様においては、前記第１の記録線速度が５ｍ／ｓｅｃ以上に設定され、前記第２の記録線速度が１０ｍ／ｓｅｃ以上に設定されている。
【手続補正２２】
【補正対象書類名】明細書
【補正対象項目名】００３０
【補正方法】変更
【補正の内容】
【００３０】
本発明のさらに好ましい実施態様においては、１．５×ＡＬ＜ＡＨ＜５．０×ＡＬを満たすように、それぞれの第一の基底パワーおよび記録パワーを設定するように構成されている。
【手続補正２３】
【補正対象書類名】明細書
【補正対象項目名】００３１
【補正方法】変更
【補正の内容】
【００３１】
本発明のさらに好ましい実施態様においては、２．５×ＡＬ＜ＡＨ＜４．０×ＡＬを満たすように、それぞれの第一の基底パワーおよび記録パワーを設定するように構成されている。
【手続補正２４】
【補正対象書類名】明細書
【補正対象項目名】００３２
【補正方法】変更
【補正の内容】
【００３２】
本発明の好ましい実施態様においては、前記光記録媒体に、４５０ｎｍ以下の波長を有するレーザビームを照射して、情報を記録するように構成されている。
【手続補正２５】
【補正対象書類名】明細書
【補正対象項目名】００３３
【補正方法】変更
【補正の内容】
【００３３】
本発明の好ましい実施態様においては、λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録するように構成されている。
【手続補正２６】
【補正対象書類名】明細書
【補正対象項目名】００３４
【補正方法】変更
【補正の内容】
【００３４】
本発明の前記目的はまた、基板と前記基板上に形成された記録層を備えた追記型の光記録媒体に、少なくとも記録パワーおよび第一の基底パワーを含むパルス列パターンにしたがって変調されたレーザビームを照射するレーザ照射手段を備えた光記録媒体への情報記録装置であって、前記レーザ照射手段が、前記第一の基底パワーＰｂ１と前記記録パワーＰｗとの比Ｐｂ１／Ｐｗが０．１ないし０．５に設定されたパルス列パターンにしたがって、レーザビームのパワーを変調し、最短ブランク間隔と記録線速度との比を４０ｎｓｅｃ以下に設定して、５ｍ／ｓｅｃ以上の記録線速度で、前記記録層に少なくとも二つの記録マークを形成して、情報を記録するように構成されたことを特徴とする光記録媒体への情報記録装置によって達成される。
【手続補正２７】
【補正対象書類名】明細書
【補正対象項目名】００３５
【補正方法】変更
【補正の内容】
【００３５】
本発明の好ましい実施態様においては、第一の基底パワーＰｂ１と記録パワーＰｗとの比Ｐｂ１／Ｐｗを０．２ないし０．５に設定して、１０ｍ／ｓｅｃ以上の記録線速度で、情報を記録するように構成されている。
【手続補正２８】
【補正対象書類名】明細書
【補正対象項目名】００３６
【補正方法】変更
【補正の内容】
【００３６】
本発明のさらに好ましい実施態様においては、最短ブランク間隔と記録線速度との比が２０ｎｓｅｃ以下に設定される。
【手続補正２９】
【補正対象書類名】明細書
【補正対象項目名】００３７
【補正方法】変更
【補正の内容】
【００３７】
本発明のさらに好ましい実施態様においては、第一の基底パワーＰｂ１と記録パワーＰｗとの比Ｐｂ１／Ｐｗを０．３ないし０．４５に設定するように構成されている。
【手続補正３０】
【補正対象書類名】明細書
【補正対象項目名】００３８
【補正方法】変更
【補正の内容】
【００３８】
本発明のさらに好ましい実施態様においては、前記記録パワーからなるパルスが、前記記録マークの長さに対応する数の分割パルスによって構成されている。
【手続補正３１】
【補正対象書類名】明細書
【補正対象項目名】００３９
【補正方法】変更
【補正の内容】
【００３９】
本発明のさらに好ましい実施態様においては、前記記録パワーからなるパルスの後に、前記第一の基底パワーよりも強度の低い第二の基底パワーを含むパルス列パターンにしたがって、レーザビームのパワーを変調するように構成されている。
【手続補正３２】
【補正対象書類名】明細書
【補正対象項目名】００４０
【補正方法】変更
【補正の内容】
【００４０】
本発明の前記目的はまた、基板と、前記基板上に形成された記録層を備え、少なくとも記録パワーおよび第一の基底パワーを含むパルス列パターンにしたがって変調されたレーザビームが照射されて、前記記録層が物理的及び／又は化学的に変化し、前記記録層に少なくとも二つの記録マークが形成されて、情報が記録されるように構成された追記型の光記録媒体であって、前記第一の基底パワーＰｂ１と前記記録パワーＰｗとの比Ｐｂ１／Ｐｗが０．１ないし０．５に設定されたパルス列パターンにしたがって、レーザビームのパワーを変調し、最短ブランク間隔と記録線速度との比を４０ｎｓｅｃ以下に設定して、５ｍ／ｓｅｃ以上の記録線速度で、情報を記録するために必要な記録条件設定用情報が記録されていることを特徴とする光記録媒体によって達成される。
【手続補正３３】
【補正対象書類名】明細書
【補正対象項目名】００４１
【補正方法】変更
【補正の内容】
【００４１】
本発明の好ましい実施態様においては、光記録媒体は、さらに、光透過層を備え、前記記録層が、前記基板と前記光透過層の間に形成され、第一の反応層と第二の反応層を含み、前記光透過層を介して、レーザビームが照射されたときに、前記第一の反応層に主成分として含まれている元素と、前記第二の反応層に主成分として含まれている元素とが混合し、記録マークが形成されるように構成されている。
【手続補正３４】
【補正対象書類名】明細書
【補正対象項目名】００４２
【補正方法】変更
【補正の内容】
【００４２】
本発明のさらに好ましい実施態様においては、前記第二の反応層が、前記第一の反応層に接するように、形成されている。
【手続補正３５】
【補正対象書類名】明細書
【補正対象項目名】００４３
【補正方法】変更
【補正の内容】
【００４３】
本発明のさらに好ましい実施態様においては、前記光透過層が、１０ないし３００ｎｍの厚さを有するように形成されている。
【手続補正３６】
【補正対象書類名】明細書
【補正対象項目名】００４４
【補正方法】変更
【補正の内容】
【００４４】
本発明のさらに好ましい実施態様においては、光記録媒体に、第一の基底パワーＰｂ１と記録パワーＰｗとの比Ｐｂ１／Ｐｗを０．２ないし０．５に設定して、１０ｍ／ｓｅｃ以上の記録線速度で、情報を記録するために必要な記録条件設定用情報が記録されている。
【手続補正３７】
【補正対象書類名】明細書
【補正対象項目名】００４５
【補正方法】変更
【補正の内容】
【００４５】
本発明のさらに好ましい実施態様においては、光記録媒体に、最短ブランク間隔と記録線速度との比を２０ｎｓｅｃ以下に設定して、少なくとも二つの記録マークを形成するために必要な記録条件設定用情報が記録されている。
【手続補正３８】
【補正対象書類名】明細書
【補正対象項目名】００４６
【補正方法】変更
【補正の内容】
【００４６】
本発明のさらに好ましい実施態様においては、光記録媒体に、第一の基底パワーＰｂ１と記録パワーＰｗとの比Ｐｂ１／Ｐｗを０．３ないし０．４５に設定して、情報を記録するために必要な記録条件設定用情報が記録されている。
【手続補正３９】
【補正対象書類名】明細書
【補正対象項目名】００４７
【補正方法】変更
【補正の内容】
【００４７】
本発明のさらに好ましい実施態様においては、前記記録パワーからなるパルスが、前記記録マークの長さに対応する数の分割パルスによって構成されている。
【手続補正４０】
【補正対象書類名】明細書
【補正対象項目名】００４８
【補正方法】変更
【補正の内容】
【００４８】
本発明のさらに好ましい実施態様においては、光記録媒体に、前記記録パワーからなるパルスの後に、前記第一の基底パワーよりも強度の低い第二の基底パワーを含むパルス列パターンにしたがって、レーザビームのパワーを変調して、情報を記録するために必要な記録条件設定用情報が記録されている。
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】０１２４
【補正方法】変更
【補正の内容】
【０１２４】
本発明によれば、高い記録線速度で、追記型の光記録媒体に情報を記録することができる光記録媒体への情報記録方法を提供することが可能になる。
また、本発明によれば、高い記録線速度で、追記型の光記録媒体に情報を記録することができる光記録媒体への情報記録装置を提供することが可能になる。
さらに、本発明によれば、高い記録線速度で、情報を記録することができる追記型の光記録媒体を提供することが可能になる。
【手続補正４４】
【補正対象書類名】明細書
【補正対象項目名】０１２５
【補正方法】削除
【補正の内容】